(57)【要約】  携帯端末と接続されたデバイスで再生されるデータを他のデバイスで再生できるようにするための装置及び方法に関し、携帯端末で周辺デバイスのデータを保存するための装置は、周辺デバイスと接続した場合、前記周辺デバイスで再生されるデータを制御できるＵＩを出力するＵＩ管理部と、前記ＵＩを介して前記周辺デバイスで再生されるデータをコピーした後、前記コピーしたデータに関するリストを出力するデータ処理部と、を含み、前記データ処理部は、前記出力されたリストから選択されたデータを他のデバイスに転送することを特徴とする。
2014517963.tif 000002
【特許請求の範囲】
【請求項１】
携帯端末で周辺デバイスのデータを保存するための装置であって、
他のデバイスに転送しようとするデータの情報を保存するように構成されたメモリ部と、
周辺デバイスと接続した場合、前記周辺デバイスで再生されるデータを制御できるＵＩを出力するように構成されたＵＩ管理部と、
前記ＵＩを介して前記周辺デバイスで再生されるデータをコピーした後、前記コピーしたデータに関するリストを出力するように構成されたデータ処理部と、
前記ＵＩに相応するデータを入力するように構成された入力部と、
前記ＵＩを用いて周辺デバイスで再生されるデータを他のデバイスに転送するように構成された制御部と、を含み、
前記データ処理部は、
前記出力されたリストから選択されたデータを他のデバイスに転送するように構成され、
前記周辺デバイスで再生されるデータを制御できるＵＩは、
再生されるデータをコピーするようにするＵＩと、
前記再生されるデータの保存方式を選択するＵＩと、
前記保存されたデータの項目を示すＵＩと、
前記コピーしたデータを転送するデバイスのリストを示すＵＩとのうち少なくともいずれか１つを含むことを特徴とする装置。
【請求項２】
前記データ処理部は、
前記データを端末に保存する方式、特定のサーバに保存する方式、遠隔制御によって転送する方式のうち少なくともいずれか１つを用いて前記周辺デバイスで再生されるデータをコピーするように構成されることを特徴とする請求項１に記載の装置。
【請求項３】
前記データ処理部は、
前記コピーしたデータのメタ情報を獲得した後、前記獲得したメタ情報を前記コピーしたデータに関するリストに追加するように構成されることを特徴とする請求項１に記載の装置。
【請求項４】
前記メタ情報は、
前記データのファイル名、保存位置のうち少なくともいずれか１つを含み、
前記データがサーバに保存される場合、前記メタ情報は、
サーバに保存されたデータのインターネットアドレス、接続ＩＤ及びパスワードのうち少なくともいずれか１つを含み、
前記データが遠隔制御によって転送される場合、前記メタ情報は、
あらかじめ接続されたデバイスのデバイスＩＤ、データＩＤ、前記あらかじめ接続されたデバイスを制御するサーバのインターネットアドレス、接続ＩＤ及びパスワードのうち少なくともいずれか１つを含むことを特徴とする請求項３に記載の装置。
【請求項５】
前記データ処理部は、
前記選択されたデータのコピー方式を確認し、前記確認されたコピー方式に応じて選択されたデータを他のデバイスに提供するように構成され、
前記他のデバイスに提供する方法は、
前記携帯端末に保存されたデータを転送する方法、特定のサーバに保存されたデータを転送する方法、遠隔制御によってデータを転送する方法のうち少なくともいずれか１つを含むことを特徴とする請求項１に記載の装置。
【請求項６】
前記データ処理部は、
前記特定のサーバに保存されたデータのメタ情報を他のデバイスに転送して前記特定のサーバに保存されたデータを転送するように構成され、
前記メタ情報を受信した他のデバイスは、
前記特定のサーバにデータ転送を要求することを特徴とする請求項５に記載の装置。
【請求項７】
前記データ処理部は、
前記転送しようとするデータのメタ情報を他のデバイスに転送して前記遠隔制御によってデータを転送するように構成され、
前記メタ情報を受信した他のデバイスは、
前記特定のサーバにデータ転送を要求し、前記特定のサーバはあらかじめ接続されたデバイスにデータ転送を指示することを特徴とする請求項５に記載の装置。
【請求項８】
携帯端末で周辺デバイスのデータを保存するための方法であって、
周辺デバイスと接続した場合、前記周辺デバイスで再生されるデータを制御できるＵＩを出力する段階と、
前記ＵＩを介して前記周辺デバイスで再生されるデータをコピーする段階と、
前記コピーしたデータに関するリストを出力する段階と、
前記出力されたリストから選択されたデータを他のデバイスに転送する段階と、を含み、
前記周辺デバイスで再生されるデータを制御できるＵＩは、
再生されるデータをコピーするようにするＵＩと、
前記再生されるデータの保存方式を選択するＵＩと、
前記保存されたデータの項目を示すＵＩと、
前記コピーしたデータを転送するデバイスのリストを示すＵＩとのうち少なくともいずれか１つを含むことを特徴とする方法。
【請求項９】
前記周辺デバイスで再生されるデータをコピーする段階は、
前記データを端末に保存する方式、特定のサーバに保存する方式、遠隔制御によって転送する方式のうち少なくともいずれか１つを含むことを特徴とする請求項８に記載の方法。
【請求項１０】
前記周辺デバイスで再生されるデータをコピーする段階は、
前記コピーしたデータのメタ情報を獲得する段階と、
前記獲得したメタ情報を前記コピーしたデータに関するリストに追加する段階と、を含むことを特徴とする請求項８に記載の方法。
【請求項１１】
前記メタ情報は、
前記データのファイル名、保存位置のうち少なくともいずれか１つを含み、
前記データがサーバに保存される場合、前記メタ情報は、
サーバに保存されたデータのインターネットアドレス、接続ＩＤ及びパスワードのうち少なくともいずれか１つを含み、
前記データが遠隔制御によって転送される場合、前記メタ情報は、
あらかじめ接続されたデバイスのデバイスＩＤ、データＩＤ、前記あらかじめ接続されたデバイスを制御するサーバのインターネットアドレス、接続ＩＤ及びパスワードのうち少なくともいずれか１つを含むことを特徴とする請求項１０に記載の方法。
【請求項１２】
前記出力されたリストから選択されたデータを他のデバイスに転送する段階は、
前記選択されたデータのコピー方式を確認する段階と、
前記確認されたコピー方式に応じて選択されたデータを他のデバイスに提供する段階と、を含み、
前記他のデバイスに提供する方法は、
前記携帯端末に保存されたデータを転送する方法、特定のサーバに保存されたデータを転送する方法、遠隔制御によってデータを転送する方法のうち少なくともいずれか１つを含むことを特徴とする請求項８に記載の方法。
【請求項１３】
前記特定のサーバに保存されたデータを転送する方法は、
前記特定のサーバに保存されたデータのメタ情報を他のデバイスに転送する段階を含み、
前記メタ情報を受信した他のデバイスは、
前記特定のサーバにデータ転送を要求することを特徴とする請求項１２に記載の方法。
【請求項１４】
前記遠隔制御によってデータを転送する方法は、
前記転送しようとするデータのメタ情報を他のデバイスに転送する段階を含み、
前記メタ情報を受信した他のデバイスは、
前記特定のサーバにデータ転送を要求し、前記特定のサーバはあらかじめ接続されたデバイスにデータ転送を指示することを特徴とする請求項１２に記載の方法。
【請求項１５】
周辺デバイスのデータを保存するための携帯端末であって、
１つ以上の制御部、
メモリ部、及び
前記制御部によって実行されるように構成された１つ以上のソフトウェアモジュールを含み、
前記ソフトウェアモジュールは、
周辺デバイスとの接続イベントによって前記周辺デバイスで再生されるデータを制御できるＵＩを出力し、
前記ＵＩを介して前記周辺デバイスで再生されるデータをコピーし、
前記コピーしたデータに関するリストを出力し、
前記出力されたリストから選択されたデータを他のデバイスに転送するように処理する命令を含み、
前記ＵＩは、
再生されるデータをコピーするようにするＵＩと、
前記再生されるデータの保存方式を選択するＵＩと、
前記保存されたデータの項目を示すＵＩと、
前記コピーしたデータを転送するデバイスのリストを示すＵＩとのうち少なくともいずれか１つを含むことを特徴とする携帯端末。
【発明の詳細な説明】
【技術分野】
【０００１】
本発明は、携帯端末で周辺デバイスの再生データを保存するためのものである。
【背景技術】
【０００２】
最近、携帯端末は、その急激な発達に伴い、現代人にとって無くてはならない必需品として男女老少を問わず使用しており、無線音声通話及び情報交換が可能な媒体として利用されている。
【０００３】
前記携帯端末の普及初期には単純に携帯可能で、無線通話が可能なものとして認識されていたが、その技術が発展するに伴い、サービス提供者及び端末メーカーは他の業者との差別化のために製品（又はサービス）を競って開発している。
【０００４】
例えば、前記携帯端末は、電話帳、ゲーム、ショートメッセージ、電子メール、モーニングコール、ＭＰ３再生、スケジュール管理機能、デジタルカメラ及び無線インターネットサービスが可能なマルチメディア機器に発展して様々なサービスを提供する。
【０００５】
最近では、前記携帯端末の出力データを共有する機能を提供する端末が発売されている。
【０００６】
これは前記携帯端末がＡというデバイスと接続してＡというデバイスを制御し、再生データを共に出力できることをいう。この時、前記携帯端末は、接続されたデバイスに該当するＵＩを出力して当該デバイスを制御できるようにする。
【０００７】
さらに、前記携帯端末は、あらかじめ接続されたデバイスで再生されるデータを他のデバイスに転送できる。
【０００８】
一例として、前記携帯端末は、家庭で接続していたデバイスで再生していたデータを会社にあるデバイスに移動させてデータを再生させ、ユーザの場所変更、デバイス変更にかかわらず、データを再生することができる。
【０００９】
しかし、上記のようにデータを移動させる段階は、データコピー段階、周辺デバイス検索段階、データ転送段階など複数のメニュー選択段階を介して行わなければならない。
【００１０】
そのため、前記携帯端末の操作に不慣れなユーザは、上記機能の使用を避けるようになるという問題点が発生する。
【００１１】
よって、上記の問題点を解決するために、データ移動段階を単純化することによって多くのユーザが場所変更によるデータ再生を簡便に使用するようにするための装置及び方法が要求される。
【発明の概要】
【発明が解決しようとする課題】
【００１２】
本発明は、上記問題点を解決するために案出されたものであって、本発明の目的は、携帯端末を用いて他のデバイスで再生されるデータを保存するための装置及び方法を提供することにある。
【００１３】
本発明の他の目的は、携帯端末を用いて他のデバイスで再生されるデータの転送を単純化するためのユーザインタフェースを提供するための装置及び方法を提供することにある。
【００１４】
本発明のさらに他の目的は、携帯端末でデータ転送を単純化するユーザインタフェースを用いて移動させようとするデータ及び前記データを転送するためのデバイスを選択するための装置及び方法を提供することにある。
【課題を解決するための手段】
【００１５】
上記目的を達成するための本発明の第１態様によれば、携帯端末で周辺デバイスのデータを保存するための装置は、周辺デバイスと接続した場合、前記周辺デバイスで再生されるデータを制御できるＵＩを出力するＵＩ管理部と、前記ＵＩを介して前記周辺デバイスで再生されるデータをコピーした後、前記コピーしたデータに関するリストを出力するデータ処理部と、を含み、前記データ処理部は、前記出力されたリストから選択されたデータを他のデバイスに転送することを特徴とする。
【００１６】
上記目的を達成するための本発明の第２態様によれば、携帯端末で周辺デバイスのデータを保存するための方法は、周辺デバイスと接続した場合、前記周辺デバイスで再生されるデータを制御できるＵＩを出力する段階と、前記ＵＩを介して前記周辺デバイスで再生されるデータをコピーする段階と、前記コピーしたデータに関するリストを出力する段階と、前記出力されたリストから選択されたデータを他のデバイスに転送する段階と、を含むことを特徴とする。
【００１７】
上記目的を達成するための本発明の第３態様によれば、携帯端末で周辺デバイスのデータを保存するための装置は、データの転送のためのＵＩを用いて周辺デバイスで再生されるデータを他のデバイスに転送するように処理する制御部と、前記データの転送のためのＵＩを出力するＵＩ管理部と、前記他のデバイスに転送しようとするデータの情報を保存するメモリ部と、前記ＵＩを入力する入力部と、を含み、前記ＵＩ管理部は、再生されるデータをコピーするようにするＵＩと、前記再生されるデータの保存方式を選択するＵＩと、前記保存されたデータの項目を示すＵＩと、前記コピーしたデータを転送するデバイスのリストを示すＵＩとのうち少なくともいずれか１つの出力することを特徴とする。
【図面の簡単な説明】
【００１８】
【図１】本発明によるデータ移動を可能にする携帯端末の構成を示すブロック図である。
【図２】本発明の好ましい一実施形態による携帯端末で周辺デバイスのデータを保存する段階を示すフローチャートである。
【図３】本発明の好ましい一実施形態による携帯端末でデータを移動させる段階を示すフローチャートである。
【図４】本発明の好ましい一実施形態によるデータ移動を可能にする携帯端末のＵＩ構成を示す図である。
【図５】本発明の好ましい一実施形態による携帯端末でデータを移動させる段階を示す図である。
【図６】本発明の好ましい一実施形態による携帯端末でデータを移動させる段階を示す図である。
【図７】本発明の好ましい他の実施形態による携帯端末でデータを移動させる段階を示す図である。
【図８】本発明の好ましいさらに他の実施形態による携帯端末でデータを移動させる段階を示す図である。
【発明を実施するための形態】
【００１９】
以下、本発明の好ましい実施形態を添付された図面を参照して詳しく説明する。そして、本発明を説明するにあたって、関連する公知機能又は構成に対する具体的な説明が本発明の要旨を不要に不明確にする恐れがあると判断された場合、その詳細な説明は省略する。
【００２０】
本発明の様々な実施形態は、携帯端末と接続されたデバイスで再生されるデータを他のデバイスで再生するための装置及び方法を提供できる。
【００２１】
本発明によって、他のデバイスで再生されるデータの転送を単純化するためのユーザインタフェースを提供するための装置及び方法について説明する。前記データの転送は、あらかじめ接続したデバイスで再生されるデータを他のデバイスで再生するために前記携帯端末を介して他のデバイスにデータを転送することにより、家庭で見ていた写真をコピーして友人の家のＴＶで再生するという状況、家庭で作業していた文書をコピーして会社のコンピュータで続けて作業したり、会社のプリンタを用いて出力したりするという状況であってもよい。
【００２２】
図１は、本発明によるデータ移動を可能にする携帯端末の構成を示すブロック図である。
【００２３】
前記図１を参照すると、前記携帯端末は、制御部１００、ＵＩ管理部１０２、データ処理部１０４、メモリ部１０６、入力部１０８、表示部１１０及び通信部１１２を含んで構成できる。
【００２４】
前記携帯端末の制御部１００は、前記携帯端末の全般的な動作を制御する。例えば、音声通話及びデータ通信のための処理及び制御を行う。本発明で記述される方法は、保存装置に保存された１つ以上のソフトウェアモジュールに含まれる１つ以上の命令（ｉｎｓｔｒｕｃｔｉｏｎｓ）として提供され得る。前記ソフトウェアモジュールは、前記制御部によって実行されることができる。
【００２５】
本発明によれば、前記制御部１００は、他のデバイスで再生されるデータを他のデバイスに移動させる場合、データ転送のためのＵＩを出力するように処理する。ここで、前記データ転送のためのＵＩは、再生されるデータを制御（コピー、移動等）するためのＵＩであって、他のデバイスで再生しようとするデータを選択するメニュー（データコピーメニュー）とあらかじめ保存されたデータを他のデバイスに移動させるメニュー（データ移動メニュー）が含まれる。一例として、前記データ転送のためのメニューは、あらかじめ接続されたデバイスを制御できる動的ＵＩに含まれ得るものであって、前記制御部１００は、ＴＶと接続した場合、前記ＴＶで再生されるデータを選択して保存するメニューと、前記保存されたデータを他のデバイスに移動させるようにするメニューと、をＴＶリモコンに該当する動的ＵＩに含めることができる。
【００２６】
また、前記制御部１００は、前記ＵＩに含まれたメニューの選択に応じてあらかじめ接続されたデバイスで再生されるデータを保存する、又はあらかじめ保存されたデータを周辺デバイスに移動させるように処理する。
【００２７】
前記ＵＩ管理部１０２は、前記制御部１００の制御を受けて他のデバイスで再生されるデータを制御できるＵＩを出力する。この時、前記ＵＩ管理部１０２は、あらかじめ接続されたデバイスで再生されるデータの保存方式を含むＵＩと、前記移動させようとするデータの項目を示すＵＩと、あらかじめ保存されたデータを移動させるデバイスの項目を含むＵＩと、を出力する。もし、前記ＵＩ管理部１０２があらかじめ接続されたデバイスを制御する動的ＵＩを出力した場合、前記ＵＩ管理部１０２は、前記出力された動的ＵＩにデバイスを制御するメニューを追加的に出力できる。
【００２８】
前記データ処理部１０４は、前記移動させようとするデータに対する項目を管理する。前記移動させようとするデータは、前記携帯端末自体に保存される、又は特定のサーバに保存される。さらに、前記データは、前記データを再生するデバイスから他のデバイスにダイレクトに転送されるが、前記データ処理部１０４は、前記移動させるデータについてのメタ情報を前記ＵＩ管理部１０２に提供する。さらに、前記データ処理部１０４は、移動させようとするデータを他のデバイスに転送するように処理する、又は周辺デバイスに前記メタ情報を転送してデータ受信を要求するように処理する。
【００２９】
前記ＵＩ管理部１０２及び／又は前記データ処理部１０４は、他の制御部になることができる。
【００３０】
前記メモリ部１０６は、ＲＯＭ、ＲＡＭ、フラッシュＲＯＭで構成される。前記ＲＯＭは、前記制御部１００、ＵＩ管理部１０２、及びデータ処理部１０４の処理及び制御のためのプログラムのマイクロコードと各種参照データを保存する。
【００３１】
前記ＲＡＭは、前記制御部１００のワーキングメモリであって、各種プログラムの遂行中に発生する一時的なデータを保存する。また、前記フラッシュＲＯＭは、電話帳、発信メッセージ及び受信メッセージのような更新可能な各種保管用データを保存する。さらに、前記メモリ部１０６は、本発明によって移動させようとするデータ及び、特定のサーバ又はデバイスからダイレクトに転送されるデータのメタ情報を保存する。
【００３２】
前記ＵＩ管理部１０２及び／又は前記データ処理部１０４によって実行される方法は、前記メモリに保存された１つ以上のソフトウェアモジュールに含まれる１つ以上の命令（ｉｎｓｔｒｕｃｔｉｏｎｓ）として提供され得る。前記ソフトウェアモジュールは、前記制御部１００によって実行されることができる。
【００３３】
前記入力部１０８は、０〜９の数字キーボタンと、メニューボタン、取消ボタン、確認ボタン、通話ボタン、終了ボタン、インターネット接続ボタン、ナビゲーションキー（又は方向キー）ボタン及び文字入力キー等複数のファンクションキーを具備し、ユーザが押したキーに対応するキー入力データを前記制御部１００に提供する。
【００３４】
前記表示部１１０は、前記携帯端末の動作中に発生する状態情報、文字、多量の動画及び静止映像などを表示する。前記表示部１１０は、カラー液晶表示装置（ＬＣＤ）、ＡＭＯＬＥＤなどを使用することができ、前記表示部１１０は、タッチ入力装置を具備してタッチ入力方式の携帯端末に適用した場合は、入力装置として使用することができる。さらに、前記表示部１１０は、本発明によって前記データを保存するようにするメニューと、前記データを移動させるようにするメニューと、が含まれたＵＩを出力する。タッチスクリーンと呼ばれるタッチ感知型ディスプレイは、表示部として使用され得る。この場合、タッチ入力は、タッチ感知ディスプレイを介して行われ得る。
【００３５】
前記通信部１１２は、アンテナ（図示せず）を介して入出力されるデータの無線信号を送受信処理する機能を行う。例えば、送信の場合、送信するデータをチャネルコーディング及び拡散した後、ＲＦ処理して送信する機能を行い、受信の場合、受信されたＲＦ信号を基底帯域信号に変換し、前記基底帯域信号を逆拡散及びチャネル復号してデータを復元する機能を行う。前記通信部１１２は、本発明によって移動させようとするデータ又は前記データのメタ情報を受信し、前記データの転送のための要求を送信する。
【００３６】
前記ＵＩ管理部１０２及びデータ処理部１０４の役割は、前記携帯端末の制御部１００によって行うことができるが、本発明でこれを別途構成して示したのは、説明の便宜のための例示的な構成であって、決して本発明の範囲を限定することを意図するものではなく、当業者であれば、本発明の範囲内で様々な変形構成が可能であるということが理解できるはずである。例えば、これらをすべて前記制御部１００で処理するように構成することもできる。
【００３７】
図２は、本発明の好ましい一実施形態による携帯端末で周辺デバイスのデータを保存する段階を示すフローチャートである。
【００３８】
前記図２を参照すると、前記携帯端末は、まず、ステップ２０１で、周辺デバイスと接続する段階を行う。ここで、前記携帯端末は、ノートブック、ＴＶ、映像再生機器などのような家庭用機器と接続してコンテンツデータ（音楽、写真、文書データ等）の再生を共有するために周辺デバイスと接続するもので、前記携帯端末は、ＤＬＮＡ（Ｄｉｇｉｔａｌ  Ｌｉｖｉｎｇ  Ｎｅｔｗｏｒｋ  Ａｌｌｉａｎｃｅ）、ＵＰｎＰ（Ｕｎｉｖｅｒｓａｌ  Ｐｌｕｇ  ａｎｄ  Ｐｌａｙ）などを利用して前記周辺デバイスと接続できる。
【００３９】
以降、前記携帯端末は、ステップ２０３に進み、データを制御できるＵＩを出力する。ここで、前記データを制御できるＵＩは、現在再生中のデータを保存して他のデバイスで再生するようにするメニュー（データコピーメニュー）と、あらかじめ保存されたデータを他のデバイスに移動させるようにするメニュー（データ移動メニュー）と、を含む。さらに、前記携帯端末は、本発明の好ましい一実施形態によって接続されたデバイスを制御する動的ＵＩ（接続するデバイスによって互いに異なるように変更されるＵＩ）に前記データを制御できるＵＩを含めることができる。すなわち、前記携帯端末は、ＴＶと接続された場合、ＴＶを制御できるリモコン型の動的ＵＩを出力することができ、ノートブックＰＣと接続された場合、所定のキーボード及びモニター画面を含む動的ＵＩを出力して接続されたデバイスを制御できるように処理する。この時、前記動的ＵＩに現在再生中のデータを保存して他のデバイスで再生するようにするメニューと、あらかじめ保存されたデータを他のデバイスに移動させるようにするメニューと、を追加的に含めることができる。
【００４０】
以降、前記携帯端末は、ステップ２０５に進み、データ移動のための要求が発生したかを確認する。ここで、前記データ移動は、あらかじめ接続されたデバイスで再生されたデータを他のデバイスで再生するために、再生中のデータを前記他のデバイスに移動するための段階であって、これは、前記現在再生中のデータを保存して他のデバイスで再生するようにするメニューの入力を感知して判断できる。
【００４１】
もし、前記ステップ２０５で、データ移動のための要求が発生していないことを確認した場合、換言すれば、あらかじめ接続されたデバイスでのデータ再生を続ける場合、前記携帯端末は、前記ステップ２０３の段階に戻る。
【００４２】
一方、前記ステップ２０５で、データ移動のための要求が発生したことを確認した場合、換言すれば、あらかじめ接続されたデバイスでのデータ再生を中止し、他のデバイスでデータを再生しようとする場合、前記携帯端末はステップ２０７に進み、データ移動方式を含むＵＩを出力する。ここで、前記データ移動方式は、前記移動させるデータの保存位置に関するもので、携帯端末自体又はサーバに保存するようにすることができる。さらに、前記携帯端末は、遠隔制御によって、あらかじめ接続されたデバイスから新しく接続するデバイスにデータをダイレクトに提供するように処理できる。
【００４３】
以降、前記携帯端末は、ステップ２０９に進み、データ移動方式に対するユーザの選択を感知した後、ステップ２１１に進み、ユーザによって選択された方式に応じて移動させるデータを保存する。この時、前記携帯端末は、特定のサーバにデータを移動させる方式が選択された場合、前記移動させるデータを前記サーバに転送してデータ保存段階を行う。さらに、前記携帯端末は、デバイスからデータをダイレクトに転送する方式が選択されたことを確認した場合、前記移動させるデータを前記携帯端末に保存した後、データ転送要求が発生した場合、保存されたデータを他のデバイスに転送するように処理する。
【００４４】
以降、前記携帯端末は、ステップ２１３に進み、前記携帯端末、特定のサーバ又はデバイスからダイレクトに転送されるデータのメタ情報を獲得した後、前記獲得したメタ情報を転送リストに追加する。
【００４５】
前記メタ情報は、前記データを保存する方式に応じて、前記携帯端末の場合はファイル名、携帯端末に保存された位置などを含み、保存する位置が前記サーバの場合は、サーバに保存されたデータのインターネットアドレス、接続ＩＤ及びパスワードなどを含み、前記あらかじめ接続されたデバイスからダイレクトに提供した場合は、前記あらかじめ接続されたデバイスのデバイスＩＤ、データＩＤ、前記あらかじめ接続されたデバイスを制御するサーバのインターネットアドレス、接続ＩＤ及びパスワードなどを含む。
【００４６】
さらに、前記転送リストは、他のデバイスに移動させるデータに関するリストで、前記携帯端末又はサーバに保存されたデータ、前記デバイスからダイレクトに転送されるデータに関するリストである。
【００４７】
以降、前記携帯端末は、本アルゴリズムを終了する。
【００４８】
図３は、本発明の好ましい一実施形態による携帯端末でデータを移動させる段階を示すフローチャートである。
【００４９】
前記図３を参照すると、前記データを移動させる段階は、あらかじめ保存されたデータを他のデバイスに移動させるようにするメニュー（データ移動メニュー）が入力された場合に開始され得る。
【００５０】
上記の動作を行うための携帯端末は、まず、ステップ３０１で、周辺に存在するデバイスを検索した後、ステップ３０３に進み、転送リストを出力する。ここで、前記転送リストは、他のデバイスに移動させるデータに関するリストであって、前記携帯端末又はサーバに保存されたデータ、前記デバイスからダイレクトに転送されるデータに関するリストである。
【００５１】
以降、前記携帯端末は、ステップ３０５に進み、前記ステップ３０１で検索したデバイスのリストを出力するように処理する。この時、前記携帯端末は、移動させるデータの項目と前記データを転送する他のデバイスの項目とを１つの画面にアイコン化して出力することによって、ユーザは容易に移動させるデータ及びデバイスを選択することができる。
【００５２】
上記のように移動させるデータに関するリスト（転送リスト）及び周辺デバイスに関するリストを出力した携帯端末は、ステップ３０７に進み、移動させるデータを選択された後、ステップ３０９に進み、選択されたデータを転送するデバイスを選択される。この時、前記携帯端末のユーザは、本発明の好ましい一実施形態によって前記移動させるデータを選択して当該デバイスにドラッグする、又は移動させるデータを選択した後、出力される対象デバイスの項目を選択する方法などを介して前記段階を行うことができる。
【００５３】
以降、前記携帯端末は、ステップ３１１に進み、選択されたデバイスにデータを転送する。この時、前記携帯端末は、前記移動させるデータの移動方式に応じてデータをダイレクトに転送する、又はサーバを介してデータを転送させることができる。さらに、前記携帯端末は、遠隔制御機能によって、前記デバイスにデータを転送させることができ、前記データの移動方式は、移動させるデータが選択された後出力されることができる。
【００５４】
以降、前記携帯端末は、本アルゴリズムを終了する。
【００５５】
図４は、本発明の好ましい一実施形態によってデータ移動を可能にする携帯端末のＵＩ構成を示す図である。
【００５６】
前記図４を参照すると、前記携帯端末は、データ共有のために周辺デバイスと接続した場合、符号（ａ）のようなＵＩを出力するようになる。前記携帯端末が出力したＵＩは、現在再生中のデータを保存して他のデバイスで再生するようにするメニュー４０３と、あらかじめ保存されたデータを他のデバイスに移動させるようにするメニュー４０５と、が含まれる。さらに、前記ＵＩは、接続されたデバイスを制御するボタン４０１も共に出力できる。一例として、前記携帯端末がＴＶと接続された場合、前記携帯端末は、前記ＴＶを制御できるリモコンＵＩに、再生されたデータを保存して他のデバイスで再生するようにするメニュー４０３と、あらかじめ保存されたデータを他のデバイスに移動させるようにするメニュー４０５と、を共に出力できる。
【００５７】
また、前記携帯端末は、あらかじめ接続されたデバイスで再生されるデータを移動させるために保存方式を選択するＵＩを出力する。これは、符号（ｂ）のように、端末自体にデータを保存するようにする方法、特定のサーバにデータを保存する方法、遠隔制御によってデータをダイレクトに転送する方法で構成できる（図４の４０７）。
【００５８】
前記端末自体にデータを保存する方法は、小容量のデータを移動させる場合に使用する方法であって、前記携帯端末に直接データを保存した後、周辺デバイスに転送する。一例として、前記保存方式は、キャプチャー画像、文書データなどを移動させる場合に使用することができる。
【００５９】
前記特定のサーバにデータを保存する方法は、大容量のデータを移動させる場合に使用する方法であって、前記データを携帯端末に保存せず、特定のサーバに保存する方法である。すなわち、前記携帯端末は、特定のサーバに保存されたデータのメタ情報を提供し、移動させようとするデバイスを検索した後、前記サーバを介してデータを転送する。一例として、前記保存方式は、ストリーミングデータ、イメージデータなどを移動させる場合に使用することができる。
【００６０】
前記遠隔制御によってデータを転送する方法は、あらかじめ接続されたデバイスから新しく接続するデバイスにデータをダイレクトに転送する場合に使用する方法である。
【００６１】
さらに、前記携帯端末は、上記のＵＩを介して保存したデータ、すなわち、移動させようとするデータに関する項目４０９を符号（ｃ）のようなＵＩを介して提供する。
【００６２】
この時、前記携帯端末は、データ保存方式の選択を感知すると、あらかじめ接続したデバイスから保存したデータに関するメタ情報を受信して移動させようとするデータの項目に追加する。前記符号（ｃ）を参照すると、前記携帯端末は、写真、イメージ及び文字データを移動させるために保存していることがわかる。
【００６３】
また、前記携帯端末は、あらかじめ保存したデータを転送しようとするデバイスのリスト（図４の４１１）を符号（ｄ）のようなＵＩを介して提供する。
【００６４】
すなわち、前記携帯端末は、前記データを保存した状態で周辺デバイスを検索した後、前記検索結果をアイコン形態で出力する。この時、前記携帯端末は、あらかじめ保存したデータの項目及び前記検索したデバイスの項目をアイコン化して共に出力できる。
【００６５】
図５は、本発明の好ましい一実施形態による携帯端末でデータを移動させる段階を示す図である。
【００６６】
前記図５を参照すると、前記携帯端末は、映像データを再生する（図５の５００）ＴＶ（符号（ａ））と接続している状態で、再生しようとするデータを制御できるＵＩを出力（符号（ｂ））する。
【００６７】
前記携帯端末が出力したＵＩは、接続されたＴＶを制御するＵＩになり得るもので、これは接続されるデバイスによって異なる種類のＵＩが出力され得る。
【００６８】
前記出力されたＵＩは、現在再生中のデータを保存して他のデバイスで再生するようにするメニューと、あらかじめ保存されたデータを他のデバイスに移動させるようにするメニューと、が含まれる。すなわち、前記出力されたＵＩは、他のデバイスで再生するようにするメニュー（データコピーメニュー）及びあらかじめ保存されたデータを他のデバイスに移動させるようにするメニュー（データ移動メニュー）のみで構成して出力することもできる。
【００６９】
もし、前記携帯端末のユーザがＴＶを視聴する途中に特定の画面を他人と共有するという状況が発生した場合、前記携帯端末のユーザはキャプチャーした画面を前記携帯端末に保存するようになる。この時、前記携帯端末は、前記出力されたＵＩの他のデバイスで再生するようにするメニュー（図５の５０１）を入力してキャプチャー画面を保存することができる。
【００７０】
上記のように、他のデバイスで再生するようにするメニューの入力を感知した場合、前記携帯端末は、符号（ｃ）のように、移動させようとするデータの保存方式を選択できるメニュー（図５の５０３）を出力する。
【００７１】
前記データの保存方式は、端末自体にデータを保存するようにする方法、特定のサーバにデータを保存する方法、遠隔制御によってデータをダイレクトに転送する方法がある。
【００７２】
前記端末自体にデータを保存する方法は小容量のデータを移動させる場合に使用する方法であって、前記携帯端末に直接データを保存した後、周辺デバイスに転送する。一例として、前記保存方式は、キャプチャー画像、文書データなどを移動させる場合に使用することができる。
【００７３】
前記特定のサーバにデータを保存する方法は、大容量のデータを移動させる場合に使用する方法であって、前記携帯端末は、特定のサーバに保存されたデータのメタ情報を提供し、移動させようとするデバイスを検索した後、前記サーバを介してデータを転送する。一例として、前記保存方式は、ストリーミングデータ、イメージデータなどを移動させる場合に使用することができる。
【００７４】
前記遠隔制御によってデータを転送する方法は、あらかじめ接続されたデバイスから新しく接続するデバイスにデータをダイレクトに転送する場合に使用する方法である。
【００７５】
前記携帯端末のユーザがデータ保存方式を選択すると、前記携帯端末は、あらかじめ接続されたデバイスから保存したデータに関するメタ情報を受信し、符号（ｄ）のように、移動させようとするデータの項目に追加する。
【００７６】
前記符号（ｄ）に示した項目は、ユーザによって他のデバイスに移動されるデータの項目を示す。
【００７７】
上記のように保存されたデータを移動させようとする場合、前記携帯端末は、周辺に存在するデバイスを検索する段階を行い、前記段階を介して検索されたデバイスのリストを前記移動させようとするデータの項目の一部に出力する。
【００７８】
これは前記携帯端末のユーザが移動させようとするデータと前記データを転送するデバイスを簡便に選択するようにするためである。
【００７９】
前記符号（ｄ）のように出力された画面上で、前記携帯端末のユーザは、移動させようとするデータを当該デバイスにドラッグアンドドロップ（図５の５０５）して選択されたデータを転送できる。上記のドラッグアンドドロップ段階は、本発明の好ましい一実施形態によるデータ移動要求に関するもので、前記データ移動要求は移動させるデータが選択された場合、前記データを転送する周辺デバイスのリストを出力して選択することもできる。
【００８０】
これによって、符号（ｅ）のように、データを受信した他のＴＶは受信したデータを再生する（図５の５０７）。
【００８１】
図６は、本発明の好ましい一実施形態による携帯端末でデータを移動させる段階を示す図である。
【００８２】
前記図６を参照すると、前記携帯端末は、あらかじめ接続されたデバイスで再生されるデータを端末自体に保存した後、他のデバイスに転送するもので、まず、ＴＶと接続した状態でデータコピーのためのユーザの入力を感知するようになる（図６の１）。以降、前記携帯端末は、前記ＴＶからコピーされたデータ（例えば、キャプチャー画面）を受信して保存した後（図６の２）、周辺に存在するデバイスを検索する段階を行う（図６の３）。上記のようにコピーされたデータを受信して保存した携帯端末は、保存データの項目及び検索された周辺デバイスの項目を出力するようになる。
【００８３】
以降、前記携帯端末は、保存されたデータの項目のうち移動させるデータの項目及び前記データを転送するデバイスの項目が選択された場合（図６の４）、前記携帯端末は、移動させようとするデータ及び前記データを転送するデバイスの種類を把握するようになる。
【００８４】
これにより、前記携帯端末は、選択されたデータを当該デバイスに転送し（図６の５）、前記データを受信したデバイスは、受信したデータを再生する（図６の６）。
【００８５】
図７は、本発明の好ましい他の実施形態による携帯端末でデータを移動させる段階を示す図である。
【００８６】
前記図７を参照すると、前記携帯端末は、ＴＶと接続した状態でデータコピーのためのユーザの入力を感知するようになる（図７の１）。これにより、前記携帯端末と接続されたデバイス（ＴＶ）は、前記携帯端末がコピーしようとするデータを特定のサーバに転送する（図７の２）。
【００８７】
以降、前記携帯端末は、前記ＴＶによって前記サーバに転送（コピー）されたデータ（例えば、キャプチャー画面）に関するメタ情報（例えば、サーバに保存されたデータのアドレス、接続情報等）を受信して保存した後（図７の３）、周辺に存在するデバイスを検索する段階を行う（図７の４）。上記のようにメタ情報を受信した携帯端末は、サーバに保存されたデータの項目及び検索された周辺デバイスの項目を出力するようになる。
【００８８】
以降、前記携帯端末は、保存されたデータの項目のうち移動させるデータの項目及び前記データを転送するデバイスが選択された場合（図７の５）、前記データを転送するデバイスに前記サーバに保存されたデータのメタ情報を転送し（図７の６）、前記メタ情報を受信したデバイスは、前記サーバにデータを要求するようになる（図７の７）。この時、前記デバイスは、前記携帯端末から受信したメタ情報に基づいてデータを要求するようになり、前記データ要求を受信したサーバは、前記デバイスに当該データを転送し、前記デバイスは、前記サーバから提供されるデータを受信し（図７の８）、受信したデータを出力する（図７の９）。前記携帯端末は、保存されたデータの項目のうち移動させるデータの項目がドラッグアンドドロップ方式で検索されたデバイスの項目へ移動された場合、転送するデータ及び前記データを受信するデバイスが決定されたと判断することができる。
【００８９】
図８は、本発明の好ましいさらに他の実施形態による携帯端末でデータを移動させる段階を示す図である。
【００９０】
前記図８を参照すると、前記携帯端末は、あらかじめ接続されたデバイスで再生されるデータを他のデバイスにダイレクトに転送するようにするもので、まず、ＴＶはサーバと接続して登録を行う（図８の１）。
【００９１】
以降、前記携帯端末は、ＴＶと接続した状態でデータコピーのためのユーザの入力を感知するようになる（図８の２）。以降、前記携帯端末は、前記ＴＶからコピーされたデータ（例えば、キャプチャー画面）に関するメタ情報を受信して保存した後（図８の３）、周辺に存在するデバイスを検索する段階を行う（図８の４）。上記のようにメタ情報を受信した携帯端末は、他のデバイスに転送されるデータの項目及び検索された周辺デバイスの項目を出力するようになる。この時、前記携帯端末は、他のデバイスに転送されるデータの情報を提供するために、前記ＴＶを介してメタ情報を受信する。
【００９２】
以降、前記携帯端末は、保存されたデータの項目のうち移動させるデータの項目及び前記データを転送するデバイスが選択された場合（図８の５）、前記他のデバイスに転送しようとするデータのメタ情報を転送する（図８の６）。
【００９３】
これにより、前記メタ情報を受信したデバイスは、前記受信したメタ情報に基づいてデータ転送を管理するサーバにデータを要求するようになり（図８の７）、前記データ要求を受信したサーバは、前記携帯端末と接続されたＴＶにデータ転送を指示する（図８の５）。この時、前記サーバは、前記ＴＶにデータを受信するデバイスに関する情報を提供する。
【００９４】
前記データ転送を指示されたＴＶは、前記デバイスにデータを転送する（図８の９）。
【００９５】
これにより、前記データを受信したデバイスは、受信したデータを出力する（図８の１０）。
【００９６】
上述のように、本発明は、携帯端末を用いて他のデバイスで再生されるデータの転送を単純化するためのユーザインタフェースを提供するためのもので、ユーザは移動させようとするデータの項目と周辺デバイスの項目を一目で把握し、転送するデータ及びデバイスの選択を単純化することができる。
【００９７】
本発明による実施形態は、ハードウェア、ソフトウェア、又はハードウェアとソフトウェアとの組み合わせに具現され得る。前記ソフトウェアは、ハードディスク、フロッピー（登録商標）ディスク及び磁気テープのような磁気媒体（Ｍａｇｎｅｔｉｃ  Ｍｅｄｉａ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）のような光記録媒体（Ｏｐｔｉｃａｌ  Ｍｅｄｉａ）、フロプティカルディスク（Ｆｌｏｐｔｉｃａｌ  Ｄｉｓｋ）のような光磁気媒体（Ｍａｇｎｅｔｏ−Ｏｐｔｉｃａｌ  Ｍｅｄｉａ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリなどに保存されることができる。前記保存装置及び保存媒体は、本発明の様々な実施形態を実行するための命令（ｉｎｓｔｒｕｃｔｉｏｎｓ）を含む機械可読ストレージ（ｍａｃｈｉｎｅ−ｒｅａｄａｂｌｅ  ｓｔｏｒａｇｅ）であり得る。したがって、本発明の実施形態は詳細な説明、請求項などに記載の方法又は装置を遂行するためのコードを含むプログラム又は前記プログラムを保存する機械可読記録媒体を提供できる。前記プログラムは、有線又は無線通信のような媒体によって電気的に伝達され得る。
【００９８】
一方、本発明の詳細な説明では具体的な実施形態に関して説明したが、本発明の範囲から逸脱しない限度内で様々な変形が可能であることは勿論である。したがって、本発明の範囲は説明された実施形態に限定されて定められてはならず、後述する特許請求の範囲のみでなくこの特許請求の範囲と均等なものによって定められるべきである。
【符号の説明】
【００９９】
１００  制御部
１００  制御部
１０２  管理部
１０４  データ処理部
１０６  メモリ部
１０８  入力部
１１０  表示部
１１２  通信部
【図１】
2014517963.tif 000003
【図２】
2014517963.tif 000004
【図３】
2014517963.tif 000005
【図４】
2014517963.tif 000006
【図５】
2014517963.tif 000007
【図６】
2014517963.tif 000008
【図７】
2014517963.tif 000009
【図８】
2014517963.tif 000010
【国際調査報告】
2014517963.tif 000011
2014517963.tif 000012